(57)【特許請求の範囲】
【請求項１】
前後方向の境界壁（３）とこれに交差する左右方向の境界壁（３’）を介して隣接する複数の卵収納凹部（２）を備え、前後方向及び左右方向の上記境界壁（３，３’）の交差部に上記卵収納凹部（２）内面に連設する截頭ほぼ４角錐形支柱（５）を上方に突設し、該截頭ほぼ４角錐形支柱（５）の４つの角部（Ｃ）をそれぞれ上記境界壁（３，３’）と連設させてなるパルプモウルド製卵収納用容器において、
上記截頭ほぼ４角錐形支柱（５）の上記４つの角部（Ｃ）が、上記前後方向の境界壁（３）に連設することにより左右に隣接する上記卵収納凹部（２）の間に位置する前後方向突条（４’）と、上記左右方向の境界壁（３’）に連設することにより前後に隣接する上記卵収納凹部（２）の間に位置する左右方向突条（４”）により構成されており、
上記前後方向突条（４’）及び上記左右方向突条（４”）は、
上記前後方向及び上記左右方向の上記境界壁（３，３’）に連設する稜線部（４ａ）と、
上記各稜線部（４ａ）の両側に連なって上記突条（４’，４”）の両側面をかたち作るものであって、上記各両側面が対応する上記卵収納凹部（２）の方向に突出する凸状面（Ｐ）を有する突出側部（４ｂ，４ｂ’）と、から構成されており、
上記卵収納凹部（２）内に卵を収納した状態において、上記卵の側面が上記前後方向突条（４’）及び左右方向突条（４”）の上記各突出側部（４ｂ，４ｂ’）の上記凸状面（Ｐ）に当接するように構成したものであり、
上記各卵収納凹部（２）内に卵を収納した状態において、隣接する上記卵収納凹部（２）内に収納された隣接する上記卵は、各卵の側面が上記各突出側部（４ｂ，４ｂ’）の上記凸状面（Ｐ）に当接することにより、互いに離間する方向に若干移動するように構成したものであることを特徴とするパルプモウルド製卵収納用容器。
【請求項２】
上記境界壁（３，３’）の上記交差部を左右方向に連続して設けることで左右方向に複数の上記卵収納凹部（２）を設け、上記各交差部の各々に上記截頭ほぼ４角錐形支柱（５）を設けた方形の卵収納容器からなるパルプモウルド製卵収納用容器において、
上記卵収納容器のコーナ部に位置する上記卵収納凹部（２）内に収納された卵は、上記コーナ部に位置する卵収納凹部（２）において、上記卵に対して「Ｌ」字形状に位置する上記前後方向突条（４’）及び上記左右方向突条（４”）の各凸状面（Ｐ）に当接することにより、上記コーナ部を構成する２辺の交差角度を２分する外側方向に若干移動するように構成したものであることを特徴とする請求項１記載のパルプモウルド製卵収納用容器。
【請求項３】
上記卵収納容器の短辺の中央部に上記左右方向の境界壁（３’）に連設する柱部（１１）を設けると共に、上記卵収納容器の長辺に上記前後方向の境界壁（３）に連設する柱部（１１’）を設け、
上記短辺側の上記柱部（１１）に、上記コーナ部に位置する上記卵収納凹部（２）の内部方向に突出する凸状面（Ｐ）を設けると共に、
上記長辺側の上記柱部（１１’）の内、コーナ部に位置する上記卵収納凹部（２）に面する上記柱部（１１’）に、上記コーナ部に位置する上記卵収納凹部（２）の内部方向に突出する凸状面（Ｐ）を設け、
上記コーナ部に位置する卵収納凹部（２）内に収納された卵は、上記柱部（１１，１１’）の凸状面（Ｐ）に当接することにより、隣接する卵収納凹部（２）内に収納された卵から離間する方向に若干移動するように構成したものであることを特徴とする請求項２記載のパルプモウルド製卵収納用容器。
【請求項４】
上記截頭ほぼ４角錐形支柱（５）の前後方向突条（４’）及び左右方向突条（４”）の中程上部の傾倒角度（α）が中程下部の傾倒角度（β）より若干小であり、かつ上記各突条（４’，４”）の稜線部（４ａ）の幅（Ｔ）は、上記中程上部側より中程下部側を広く形成したものであることを特徴とする請求項１〜３の何れかに記載のパルプモウルド製卵収納用容器。
【発明の詳細な説明】
【技術分野】
【０００１】
パルプモウルドによる卵収納凹部を前後左右の境界壁を介して形成し、境界壁の交差部に截頭ほぼ４角錐形支柱を形成してなる卵収納用容器であって、上記卵収納凹部に収納される卵の隣接間隙を若干拡大し得て、収納卵間の接触損傷を防止し得るパルプモウルド製卵収納用容器に関するものである。
【背景技術】
【０００２】
従来、パルプモウルドによる卵収納用容器は前後左右方向の境界壁を介して複数の卵収納凹部を平行２列に形成し、境界壁の交差部に截頭４角錐形支柱を上方に突設し、上記容器の一側に開閉蓋を設け、閉鎖時に開閉蓋を上記支柱の上面で支持し、収納凹部に収納した卵を上記直交境界壁と上記支柱及び開閉蓋とによって収納用容器内に保持するものであった（例えば特許文献１）。
【先行技術文献】
【特許文献】
【０００３】
【特許文献１】実用新案登録第３１６０９６８号公報
【発明の概要】
【発明が解決しようとする課題】
【０００４】
しかしながら、特許文献１に示すような従来の卵収納用容器は、例えば図８、図９に示すように、截頭４角錐形支柱２１の角錐面２０，２０が横断面凹弧面であるため（図９参照）、卵収納凹部２２内に収納された卵７が振動により上記角錐面２０，２０に当接すると、上記角錐面２０の角部２３に対し、該角部２３を両側から押し潰す方向（矢印Ｈ方向）の力が作用し、これにより上記角部２３が両側から押し潰されて、その幅ｔが減少し、その結果、隣接する卵７の側面同士が接触して卵７が損傷する場合があるという課題があった（特許文献１）。
【０００５】
本発明は、截頭ほぼ４角錐形支柱の角部を、卵収納凹部の方向に突出する凸状面を有する突条によって構成することにより、当該突条の強度を高くして、卵収納用容器内の収納卵同士の接触による損傷を防止し得るパルプモウルド製卵収納用容器を提供することを目的とする。
【課題を解決するための手段】
【０００６】
上記の目的を達成するため本発明は、
第１に、前後方向の境界壁（３）とこれに交差する左右方向の境界壁（３’）を介して隣接する複数の卵収納凹部（２）を備え、前後方向及び左右方向の上記境界壁（３，３’）の交差部に上記卵収納凹部（２）内面に連設する截頭ほぼ４角錐形支柱（５）を上方に突設し、該截頭ほぼ４角錐形支柱（５）の４つの角部（Ｃ）をそれぞれ上記境界壁（３，３’）と連設させてなるパルプモウルド製卵収納用容器において、上記截頭ほぼ４角錐形支柱（５）の上記４つの角部（Ｃ）が、上記前後方向の境界壁（３）に連設することにより左右に隣接する上記卵収納凹部（２）の間に位置する前後方向突条（４’）と、上記左右方向の境界壁（３’）に連設することにより前後に隣接する上記卵収納凹部（２）の間に位置する左右方向突条（４”）により構成されており、上記前後方向突条（４’）及び上記左右方向突条（４”）は、上記前後方向及び上記左右方向の上記境界壁（３，３’）に連設する稜線部（４ａ）と、上記各稜線部（４ａ）の両側に連なって上記突条（４’，４”）の両側面をかたち作るものであって、上記各両側面が対応する上記卵収納凹部（２）の方向に突出する凸状面（Ｐ）を有する突出側部（４ｂ，４ｂ’）と、から構成されており、上記卵収納凹部（２）内に卵を収納した状態において、上記卵の側面が上記前後方向突条（４’）及び左右方向突条（４”）の上記各突出側部（４ｂ，４ｂ’）の上記凸状面（Ｐ）に当接するように構成したものであり、上記各卵収納凹部（２）内に卵を収納した状態において、隣接する上記卵収納凹部（２）内に収納された隣接する上記卵は、各卵の側面が上記各突出側部（４ｂ，４ｂ’）の上記凸状面（Ｐ）に当接することにより、互いに離間する方向に若干移動するように構成したものであることを特徴とするパルプモウルド製卵収納用容器により構成される。
【０００７】
従って、上記卵収納凹部（２）内に卵を収納すると、その側面が上記截頭ほぼ４角錐形支柱（５）の突条（４’，４”）の突出側部（４ｂ，４ｂ’）の凸状面（Ｐ）に当接した状態で保持されるが、上記突条（４’，４”）の突出側部（４ｂ，４ｂ’）は、対応する卵収納凹部（２）の方向に突出した凸状面（Ｐ）を有しているので、卵の側面から突出側部（４ｂ，４ｂ’）を押し潰す方向の力（矢印Ｑ方向、図７）が作用しても、突条（４’，４”）は容易に押し潰されることはない。よって、隣接する卵収納凹部（２）内に収納された隣接する卵は、隣接する卵間に存在する上記突条（４’，４”）によって所定の間隙を維持した状態が保たれるので、隣接する卵が接触して損傷することはない。
【０００９】
隣接する卵収納凹部（２）間に存在する突条（４’，４”）は、その稜線部（４ａ）の両側面（突出側部４ｂ，４ｂ’）が各々の卵収納凹部（２）の方向に突出した凸状面（Ｐ）となっているので、上記隣接する卵収納凹部（２）に各々卵を収納すると、各卵は、隣接する上記卵収納凹部（２）の中間に位置する上記突条（４’，４”）の各凸状面（Ｐ）により互いに離間する方向に押されるため、結果としてこれら隣接する卵は、互いに離間する方向に若干移動する。ここで、互いに離間する方向に若干移動するとは、例えば、截頭ほぼ４角錐形支柱（５）の角部（Ｃ）に、突条（４’，４”）が存在しない従来容器においては、卵は、上記卵収納凹部（２）の中心（Ｇ）と当該卵収納凹部（２）内に収納された卵の中心（Ｇ’）とが略一致する位置に保持されていたとすると、上記卵の側面が上記凸状面（Ｐ）から互いに離間する方向に押されることにより、当該卵の中心（Ｇ’）が上記卵収納凹部（２）の中心（Ｇ）から互いに離間する方向に振られた位置に位置付けられることをいう。
【００１０】
第２に、上記境界壁（３，３’）の上記交差部を左右方向に連続して設けることで左右方向に複数の上記卵収納凹部（２）を設け、上記各交差部の各々に上記截頭ほぼ４角錐形支柱（５）を設けた方形の卵収納容器からなるパルプモウルド製卵収納用容器において、
上記卵収納容器のコーナ部に位置する上記卵収納凹部（２）内に収納された卵は、上記コーナ部に位置する卵収納凹部（２）において、上記卵に対して「Ｌ」字形状に位置する上記前後方向突条（４’）及び上記左右方向突条（４”）の各凸状面（Ｐ）に当接することにより、上記コーナ部を構成する２辺の交差角度を２分する外側方向に若干移動するように構成したものであることを特徴とする上記第１記載のパルプモウルド製卵収納用容器により構成される。
【００１１】
このように構成すると、コーナ部の卵収納凹部（２）に収納された卵はコーナ部を構成する２辺の交差角度を２分する外側方向に若干移動するため、コーナ部に位置する卵を含めて卵同士の接触による損傷を効果的に防止し得る。
【００１２】
第３に、上記卵収納容器の短辺の中央部に上記左右方向の境界壁（３’）に連設する柱部（１１）を設けると共に、上記卵収納容器の長辺に上記前後方向の境界壁（３）に連設する柱部（１１’）を設け、上記短辺側の上記柱部（１１）に、上記コーナ部に位置する上記卵収納凹部（２）の内部方向に突出する凸状面（Ｐ）を設けると共に、上記長辺側の上記柱部（１１’）の内、コーナ部に位置する上記卵収納凹部（２）に面する上記柱部（１１’）に、上記コーナ部に位置する上記卵収納凹部（２）の内部方向に突出する凸状面（Ｐ）を設け、上記コーナ部に位置する卵収納凹部（２）内に収納された卵は、上記柱部（１１，１１’）の凸状面（Ｐ）に当接することにより、隣接する卵収納凹部（２）内に収納された卵から離間する方向に若干移動するように構成したものであることを特徴とする上記第２記載のパルプモウルド製卵収納用容器により構成される。
【００１３】
このように構成すると、コーナ部の卵収納凹部（２）に収納された卵と、当該コーナ部に位置する卵収納凹部（２）に隣接する卵収納凹部（２）に収納された卵との接触を効果的に防止し得る。
【００１４】
第４に、上記截頭ほぼ４角錐形支柱（５）の前後方向突条（４’）及び左右方向突条（４”）の中程上部の傾倒角度（α）が中程下部の傾倒角度（β）より若干小であり、かつ上記各突条（４’，４”）の稜線部（４ａ）の幅（Ｔ）は、上記中程上部側より中程下部側を広く形成したものであることを特徴とする上記第１〜３の何れかに記載のパルプモウルド製卵収納用容器により構成される。
【００１５】
このように構成すると隣接する卵収納凹部（２）に収納する卵同士の間隔を広くとることができ、卵同士の接触を効果的に防止し得る。
【発明の効果】
【００１６】
本発明によれば、卵の側面が当接する截頭ほぼ４角錐形支柱（５）の突条（４’，４”）の突出側部（４ｂ，４ｂ’）は、卵収納凹部（２）の方向に突出する凸状面（Ｐ）を有しているので、卵収納凹部（２）内に卵を収納しても上記突条（４’，４”）は容易に潰れることがなく、隣接する卵同士の間隔を維持し得るので、卵同士の接触による卵の損傷を効果的に防止することができる。
【００１７】
また、各卵収納凹部（２）に卵を収納すると、隣接する卵同士には、その間に存在する上記突条（４’，４”）の上記突出側部（４ｂ，４ｂ’）の凸状面（Ｐ）により、互いに離間する方向に若干移動するので、上記卵収納凹部（２）内に卵を収納しても卵同士の接触による卵の損傷を効果的に防止することができる。
【図面の簡単な説明】
【００１８】
【図１】本発明のパルプモウルド製卵収納用容器を示す斜視図である。
【図２】同上収納用容器の卵収容器の平面図である。
【図３】図１Ａ−Ａ線による側面図である。
【図４】図２の截頭ほぼ４角錐形支柱近傍の拡大平面図である。
【図５】図３Ｂ−Ｂ線による裏面図である。
【図６】図２のＤ−Ｄ線による断面図である。
【図７】図６の截頭ほぼ４角錐形支柱のＥ−Ｅ線による断面図である。
【図８】従来の卵収納用容器の側面図である。
【図９】図８の截頭ほぼ４角錐形支柱のＦ−Ｆ線による断面図である。
【発明を実施するための形態】
【００１９】
図１、図２、図３に示す方形（実施形態では長方形）のパルプモウルド製卵収納用容器の卵収納容器１内に長手方向（左右方向）に５個（２列）の卵収納凹部２（計１０個）を前後方向境界壁３を介して形成し、かつ該前後方向境界壁３と直交する左右方向境界壁３’を介して該卵収納凹部２を２列に形成するものである。尚、図１の斜視図中、手前を「前」、後方を「後」、前方から後方をみた場合の左右の方向を「左」、「右」として以下説明する。尚、上記容器１の形状は長方形に限らず、正方形等の四角形（方形）であっても良い。
【００２０】
上記前後方向及び左右方向に直交する上記境界壁３，３’の交差部には上記凹部２の内面に連設する４個の角錐面４，４，４，４（図４参照）によって截頭ほぼ４角錐形の支柱（截頭ほぼ４角錐形支柱）５を上方に向って突設又は立設し、４方の角部Ｃ，Ｃ，Ｃ，Ｃ（図４）をそれぞれ上記前後方向境界壁３及び左右方向境界壁３’と連設させるものであって、かつ上記長方形容器１の長手方向一側に折り曲げ式フランジ部を介した開閉蓋６を設け、該蓋６の閉鎖時に該蓋６の内面を上記支柱５の上端面５’で支持するように構成する。また、上記開閉蓋６とは反対側の上記容器１の他方の長手方向他側に折り曲げ式フランジ部を介して蓋支持片（係止片）８を形成する。
【００２１】
上記支柱５の４方の角部Ｃ，Ｃ，Ｃ，Ｃはそれぞれ上下方向に中心線Ｓ（図３）に向って傾倒し十字状に交差する４個の突条（前後方向の突条４’，４’と左右方向の突条４”，４”、図４参照）によって形成され、これらの突条４’，４”の中程共通水準Ｌの上部の水平線との傾倒角度αを７１度とし、中程共通水準Ｌの下部の水平線との傾倒角度βを７５度とし、図３に示すように水平線との傾倒角度αをβよりも若干小（α＜β）に形成することにより、上記支柱５の高さを若干低く形成し、かつ図１、図３に示すように該支柱５の下部を前後左右方向に若干拡大し、上端面５’の面積を若干縮小する。
【００２２】
即ち、上記截頭ほぼ４角錐形支柱５の前後方向突条４’及び左右方向突条４”の中程上部の傾倒角度αが中程下部の傾倒角度βより若干小であり、かつ上記各突条４’，４”の稜線部４ａの幅Ｔは、上記中程上部側より中程下部側を広く形成したものである。
【００２３】
このように上端面５’の面積が縮小することにより、上記支柱５の全体の強度（上下方向の荷重に対する強度）が増すため、上記卵収納凹部２内に卵７を収納し（図３）、蓋６を閉じた状態で、当該卵収納容器１を多段に複数個積み重ねたとき、当該支柱５にその上端面５’から下方に荷重が作用しても支柱５の変形等のおそれがなく、内部の卵７を確実に保持し得る。また、上記稜線部４ａの中程下部側の幅Ｔを広く形成することにより、突条４’，４”の突出側部４ｂ，４ｂ’の幅が広くなり、隣接する卵収納凹部２に収納された卵７同士の間隔が広くなり、卵同士の接触による損傷を防止し得る。
【００２４】
上記複数の上記截頭ほぼ４角錐形支柱５は、左右方向に一列に並設され、１つの截頭ほぼ４角錐形支柱５の周りには４箇所の上記卵収納凹部２，２，２，２が形成され、左右両端の各コーナ部に位置する卵収納凹部２（４個）以外の卵収納凹部２（６個）は、隣接する上記截頭ほぼ４角錐形支柱５，５における卵収納容器１の長手方向中央部に位置する左右方向の境界壁３’に連設する上記長手方向中央部に位置する一対の左右方向突条４”，４”と、前後方向の境界壁３，３に連設する一対の前後方向の突条４’，４’によって「コ」字形状に囲まれている。
【００２５】
また、左右両端のコーナ部に位置する卵収納凹部２（４個）は、１つの上記截頭ほぼ４角錐形支柱５における上記卵収納容器１の長手方向中央部に位置する左右方向の境界壁３’に連接する上記長手方向中央部に位置する一つの左右方向突条４”と、前後方向の境界壁３に連接する一つの前後方向突条４’によって略「Ｌ」字形状に囲まれている。
【００２６】
上記截頭ほぼ４角錐形支柱５の上記４つの角部Ｃ，Ｃ，Ｃ，Ｃは、上述のように、各々上記上端面５’から上記前後方向又は左右方向境界壁３又は３’に向けて連設するように下り傾斜面を構成する上下方向の突条（前後方向の突条４’，４’、左右方向の突条４”，４”）により構成されている。
【００２７】
即ち、上記截頭ほぼ４角錐形支柱５の上記４つの角部Ｃ，Ｃ，Ｃ，Ｃは、上記前後方向の境界壁３に連設することにより左右に隣接する上記卵収納凹部２の間に位置する前後方向突条４’と、上記左右方向の境界壁３’に連設することにより前後に隣接する上記卵収納凹部２の間に位置する左右方向突条４”により構成されている。
【００２８】
そして、上記前後方向突条４’及び上記左右方向各突条４”は、図４に示すように、上記前後方向及び上記左右方向の上記境界壁３，３’に連設する稜線部４ａと、上記各稜線部４ａの両側に連なって上記突条４’，４”の両側面をかたち作るものであって、上記各両側面が対応する上記卵収納凹部２の方向に突出する凸状面Ｐ，Ｐを有する突出側部４ｂ，４ｂ’と、から構成されている。
【００２９】
そして、上記卵収納凹部２内に卵７を収納した状態において、上記卵７の側面７’が上記前後方向突条４’及び左右方向突条４”の上記各突出側部４ｂ，４ｂ’の上記凸状面Ｐ，Ｐに当接するように構成されている（図７参照）。
【００３０】
このように、上記稜線部４ａ，４ａ，４ａ，４ａは、上記截頭ほぼ４角錐形支柱５の上端面５’から上記各境界壁３又は３’に至る、十字状に交差する上下方向傾斜面により構成されており、本実施形態では上記稜線部４ａの上面は何れも平面状に形成されている。
【００３１】
そして、上記各卵収納凹部２内に、卵７を収納した場合は、図７に示すように、卵７の側面７’が上記凹部２に位置する上記突出側部４ｂ，４ｂ’の上記各凸状面Ｐ，Ｐに接触するように構成されている。
【００３２】
図７に示すように、隣接する上記卵収納凹部２，２内の隣接する卵７，７の側面７’，７’が、一の突条４’，４”の両突出側部４ｂ，４ｂ’に接触すると、隣接する卵７，７の側面７’，７’から、一の突条４’，４”の両突出側部４ｂ，４ｂ’に対して、それらの凸状面Ｐ，Ｐを押し潰す方向（図７、矢印Ｑ，Ｑ方向）の力が作用するが、上記突出側部４ｂ，４ｂ’は、外側方向（各卵収納凹部２の方向）、即ち、上記押し潰す方向の力に対向する方向に湾曲した凸状面Ｐ，Ｐが形成されているので、上記卵７，７から矢印Ｑ，Ｑ方向の力を受けても容易に潰れることはなく、従って、隣接する卵７，７同士の間隔Ｘを維持することができ、前後方向及び左右方向に隣接する卵７，７同士の接触を何れも効果的に防止することができる。
【００３３】
このことは、左右方向に隣接する卵同士だけでなく、前後方向に隣接する卵同士においても、同様である。
【００３４】
また、上記各卵収納凹部２に卵７を収納すると、隣接する卵７，７同士には、その間に存在する上記突条４’，４”の上記突出側部４ｂ，４ｂ’の上記凸状面Ｐ，Ｐにより、互いに離間する方向（図７の左右方向に隣接する卵７，７は矢印Ｎ，Ｎ’方向（左右方向）、前後方向に隣接する卵７，７は矢印Ｍ，Ｍ’方向（前後方向））に押される力が働き、その結果、両卵７，７の中心Ｇ’（卵の長手方向の中心Ｇ’、図３参照）は、卵収納凹部２，２の中心Ｇ，Ｇ（図２参照）間の距離より互いにその間隔が離間する方向に振られた位置（上記卵同士の間隔Ｘが広がる方向の位置）に位置付けられるように構成されている。
【００３５】
即ち、上記截頭ほぼ４角錐形支柱５の角部Ｃに、突条４’，４”が存在しない従来容器においては、卵は、上記卵収納凹部２の中心Ｇと当該卵収納凹部２内に収納された卵の中心Ｇ’とが略一致する位置に保持されるが、本発明に係る卵収納容器１の卵収納凹部２では、上記隣接する卵７，７の側面７’，７’が上記凸状面Ｐ，Ｐから互いに離間する方向に押されることにより、当該卵７はその中心Ｇ’が上記卵収納凹部２の中心Ｇから互いに離間する方向に若干振られた位置に位置付けられる。
【００３６】
そして、卵収納容器１全体でみると、図２に示すように、上記各卵収納凹部２に収納された卵７は、卵収納容器１の左右のコーナ部に位置する４つの卵収納凹部２を除いた卵収納凹部２（６個）内に収納した卵７は、上記各截頭ほぼ４角錐形支柱５の「コ」字状に位置する各突条４’，４”の上記突出側面部４ｂ，４ｂ’の凸状面Ｐが上記各卵７の側面７’に当接することによって、図２中矢印Ｍ，Ｍ’方向（互いに容器１の外側縁に直交する外側に向いた方向）に振られた位置に位置付けられ、これにより、前後方向に隣接する卵７同士の接触を効果的に防止することができる。
【００３７】
また、上記コーナ部に位置する４つの卵収納凹部２に収納した卵７は、上記截頭ほぼ４角錐形支柱５の「Ｌ」字状に位置する各突条４’，４”の上記突出側部４ｂ，４ｂ’の凸状面Ｐが上記各卵７の側面７’に「Ｌ」字型に当接することによって、図２中矢印Ｚ方向（卵収納容器１の直角コーナ部を２等分する外側方向、或いは上記「Ｌ」字状に直交する上記突条４’，４”を２等分する外側方向）に振られた位置に位置付けられ、これにより、前後方向、左右方向に位置する卵７同士の接触を効果的に防止することができる。即ち、上記卵収納容器１のコーナ部に位置する上記卵収納凹部２内に収納された卵７は、上記コーナ部に位置する卵収納凹部２において、上記卵７に対して「Ｌ」字形状に位置する上記前後方向突条４’及び上記左右方向突条４”の各凸状面Ｐに当接することにより、上記コーナ部を構成する２辺の交差角度を２分する外側方向（矢印Ｚ方向）に若干移動するように構成されている。
【００３８】
さらに、上記卵収納容器１の短辺の中央部に上記左右方向の境界壁３’に連設する柱部１１（実施形態では左右に１個ずつ）を設けると共に（図１、図２参照）、上記卵収納容器１の長辺に上記前後方向の境界壁３に連設する柱部１１’（実施形態では各長辺に４個ずつ）を設け、上記短辺側の上記柱部１１に、上記コーナ部に位置する上記卵収納凹部２の内部方向に突出する凸状面Ｐを両側に設けると共に、上記コーナ部に位置する上記卵収納凹部２に面する上記長辺側の上記柱部１１’に、上記コーナ部に位置する上記卵収納凹部２の内部方向に突出する凸状面Ｐ，Ｐを設け（図１、図２参照）、上記コーナ部に位置する卵収納凹部２内に収納された卵７は、上記柱部１１，１１’の各凸状面Ｐ，Ｐに当接することにより、隣接する卵収納凹部２（前後方向に隣接する卵収納凹部２、左右方向に隣接する卵収納凹部２）内に収納された卵７から離間する方向に若干移動するように構成されている。
【００３９】
即ち、上記柱部１１では、その前後方向（両側）に凸面部Ｐ，Ｐが形成されるので、前後方向に隣接するコーナ部の卵収納凹部２内に収納された卵７，７は、それらの側面が上記柱部１１の各凸面部Ｐ，Ｐに接触することにより互いに離間する方向（矢印Ｍ，Ｍ’方向）に若干移動される。また、上記柱部１１’では、コーナ部に位置する卵収納凹部２側にのみ上記凸状面Ｐが形成されているので、上記コーナ部に位置する卵収納凹部２に収納された卵７は、上記柱部１１’の上記凸状面Ｐによって左右方向に隣接する卵収納凹部２に収納された卵から離間する方向に若干移動される。
【００４０】
そして、上記コーナ部に位置する卵収納凹部２内に収納された卵７は、上記「Ｌ」字形状に位置する上記突条４’，４”、上記柱部１１，１１’に位置する凸状面Ｐ，Ｐによって、全体として、上記コーナ部を構成する２辺の交差角度を２分する外側方向（矢印Ｚ方向）に若干移動するように構成されている。
【００４１】
これにより、コーナ部に位置する卵７同士、及び、コーナ部に位置する卵７と隣接するコーナ部に位置しない卵７同士は、互いに離間する方向に移動され、結果として互いに接触することなく、よって接触による卵７の損傷を効果的に防止し得る。
【００４２】
また、１つの截頭ほぼ４角錐形支柱５における十字状に交差する上記４個の突条４’，４”間の角錐面４，４，４，４はほぼ凹弧面４ｃに形成し（図４参照）、上記卵収納凹部２内のほぼ凹弧面４ｃ’に一連に設けられ（連設され）、上記截頭ほぼ４角錐形支柱５の凹弧面４ｃ、及び上記突条４’，４”の突出側部４ｂ，４ｂ’と上記卵収納凹部２の凹弧面４ｃ’とによって卵７の側面７’を支持し、かつ４方の上記突条４’，４”の下端がそれぞれ前後左右方向境界壁３，３’と繋がり、該突条４’，４”の下端部により隣接する収納卵７，７間を充分隔離して支持することができる。
【００４３】
上記本発明のような凸状面Ｐを有する突出側部４ｂ，４ｂ’を具備した突条４’，４”とすることにより、又は、さらに図８に示す従来の角部２３の下端部幅ｔを、図３に示す本発明の４箇所の突条４’，４”の稜線部４ａの下端部幅Ｔのように拡大（Ｔ＞ｔ）することにより、図２に示すように、左右の卵収納凹部２，２に収納された卵７間の中心間隔Ｋ、及び前後の卵収納凹部２，２に収納された卵７，７間の中心間隔Ｋ’を、前後左右方向の何れの方向においても拡大することができる（例えば、拡大幅は、従来Ｋ＝Ｋ’＝４８ｍｍであったとすると、本発明ではＫ＝Ｋ’＝４９ｍｍ）。
【００４４】
このように上記凸状面Ｐを有する突出側部４ｂ，４ｂ’を具備した突条４’，４”とすることにより、又は、さらに上記１つの截頭ほぼ４角錐形支柱５の４箇所の上記突条４’，４”の稜線部４ａの各々の下端部幅を拡大（Ｔ）することにより、当該支柱５の周囲の４箇所の卵収納凹部２，２，２，２に収納される４個の卵７の前後方向及び左右方向の相互間の間隔を拡大することができ、これにより前後左右間の卵７相互の接触を防止して卵の損傷を効果的に防止することができる。
【００４５】
尚、図３中ｆは上記支柱５の上端面５’の幅、図３中ｈは上記支柱５の上部高さである。
【００４６】
本発明は上述のように構成されるので、蓋６を開いて前後左右に境界壁３，３’によって区画された卵収納凹部２に卵７を収納すると、卵７の下半部が上記凹部２の凹弧面４ｃ’及び上記４角錐形支柱５の突条４’，４”の突出側部４ｂ，４ｂ’に収納支持され、その状態で卵７の上端が上記支柱５の上端面５’下又は同水準に保持される。
【００４７】
その状態で開閉蓋６で容器１の上面を閉じると、該蓋６の下面が上記支柱５の上端面５’に支持され、図１に示す蓋支持片８に形成した突起９，９に上記蓋６の支持孔１０，１０が係合して閉じた上記蓋６が閉鎖状態に保持される。
【００４８】
上記閉鎖状態では上記蓋６の下面は上記支柱５の上端面５’で支持され、該下面と収納卵７の上端面とは小間隙を保持し、又は接して輸送振動に際し、収納卵７は前後左右方向には境界壁３，３’及び突条４’，４”によってガタ無く保持され、上下方向には上記蓋６の下面によって殆んどガタ無く保持され、安全に輸送することができる。
【００４９】
また、卵収納凹部２に卵７を収納すると、卵７の側面７’が当接する截頭ほぼ４角錐形支柱５の突条４’，４”の突出側部４ｂ，４ｂ’は、卵収納凹部２の方向に突出する凸状面Ｐを有しているので、上記卵収納凹部２内に卵７を収納しても上記突条４’，４”は容易に潰れることがなく、隣接する卵同士の間隔を維持し得るので、卵同士の接触による卵の損傷を効果的に防止することができる。
【００５０】
また、上記各卵収納部２に卵７を収納すると、隣接する卵７同士には、その間に存在する上記突条４’，４”の上記突出側部４ｂ，４ｂ’により、互いに離間する方向に押される力が働き、その結果、両卵７，７の中心は、卵収納凹部２，２の中心Ｇ，Ｇより若干左右に振られた位置（卵７，７同士の間隔Ｘが広がる方向の位置）に位置付けられる（図７参照）。
【００５１】
そして、卵収納用容器１全体でみると、上記各卵収納凹部２に収納された卵７は、互いに容器１の外側縁に直交する外側に向いた方向（矢印Ｍ，Ｍ’方向）に振られた位置に位置付けられ、これにより、前後方向に隣接する卵７同士の接触を効果的に防止することができる（図７参照）。
【００５２】
また、上記コーナ部に位置する４つの卵収納凹部２に収納した卵７は、上記４角錐形支柱５の「Ｌ」字状に位置する各突条４’の上記突出側面部４ｂ，４ｂ’が上記各卵７の側面７’に当接することによって、卵収納用容器１のコーナ部を２等分する外側方向（矢印Ｚ方向）に振られた位置に位置付けられ、これにより、前後方向、左右方向に位置する卵７同士の接触を効果的に防止することができる。
【００５３】
尚、図２中、左右方向に一列に並ぶ５個の卵をより詳細に検討すると、両端のコーナ部に位置する２個の卵が各々矢印Ｚ方向（外側）に振られる結果、中央部に並列する３つの卵の内、中央に位置する卵の左右に位置する卵は中央の卵から左右に離間する方向（矢印Ｎ，Ｎ’方向）に振られるため（図７参照）、結果として、左右方向に並列する５個の卵は、左右方向においても、何れも互いの間隔が離間する方向に位置付けられることになる。
【００５４】
また、上記４箇所の突条４’，４”の上記下端部幅Ｔを拡大することにより、卵収納凹部２間の前後左右の隣接収納卵７相互の間隙を拡大することができ、搬送される卵収納用容器内の収納卵同士の接触による卵の損傷を効果的に防止することができる。
【００５５】
また、図３に示すように、截頭ほぼ４角錐形支柱５の４個の角部がそれぞれ上下方向の突条４’，４”によって形成され、該突条４’，４”の中程上部の傾倒角度αが中程下部の傾倒角度βよりも若干小であるため、上記支柱５の下部の４方の角部を前後左右に若干拡大し得るばかりでなく、４方の角錐面が上記凹部２の凹弧面４ｃ’と一連の凹弧面４ｃとによりに形成されているため、収納卵がガタ無く収納し得るばかりでなく、隣接卵との間に上記支柱５の突条４’，４”が介在して隣接収納卵相互の間隔を若干拡大させることができる。
【産業上の利用可能性】
【００５６】
本発明は、パルプモウルド製の卵の収納用容器として、広く利用が可能である。
【符号の説明】
【００５７】
１            卵収納容器
２            卵収納凹部
３            前後方向境界壁（境界壁）
３’          左右方向境界壁（境界壁）
４’          前後方向突条（突条）
４”          左右方向突条（突条）
４ａ          稜線部
４ｂ，４ｂ’  突出側部
１１，１１’  柱部
５            截頭ほぼ４角錐形支柱
Ｃ            角部
Ｐ            凸状面
【図１】
0005815169.tif 000002
【図２】
0005815169.tif 000003
【図３】
0005815169.tif 000004
【図４】
0005815169.tif 000005
【図５】
0005815169.tif 000006
【図６】
0005815169.tif 000007
【図７】
0005815169.tif 000008
【図８】
0005815169.tif 000009
【図９】
0005815169.tif 000010